(57)【要約】【課題】量産に適したコピー防止方法と、これを利用した音楽ＣＤの生産方法を提案する。【解決手段】オーディオデータで構成されるオーディオセッションと、データセッションと、を少なくとも設けたマルチセッション式とし、そのＥＦＭ信号において、データセッションのリードイン領域に、オーディオセッションのサブコードチャネルを変更した疑似情報を設けることを特徴とする。また、このコピー防止方法をＥＦＭ信号に施し、これに従いスタンパーを作成することを特徴とした音楽ＣＤの生産方法を提案する。【選択図】　図２
2004022098.tif 000002
【特許請求の範囲】
【請求項１】
オーディオデータで構成されるオーディオセッションと、データセッションと、を少なくとも設けたマルチセッション式とし、そのＥＦＭ信号において、前記データセッションのリードイン領域に、前記オーディオセッションのサブコードチャネルを変更した疑似情報を設けることを特徴とする音楽ＣＤのコピー防止方法。
【請求項２】
疑似情報は、Ｑチャネルのコントロール部にデジタルデータの識別情報を立てたものである請求項１記載の音楽ＣＤのコピー防止方法。
【請求項３】
疑似情報は、Ｑチャネルのスタートアドレスを所定値ずらしたものである請求項１又は請求項２記載の音楽ＣＤのコピー防止方法。
【請求項４】
データセッションは、オーディオデータを圧縮暗号化したデータ及びその再生ソフトで構成される請求項１〜３のいずれか１項に記載の音楽ＣＤのコピー防止方法。
【請求項５】
圧縮暗号化データは、圧縮したオーディオデータをバイト単位で分割し、これを可変長の区分ファイルに振り分けて、区分毎に用意されている８×ｎ個の暗号鍵で排他的論理和演算したものである請求項４記載の音楽ＣＤのコピー防止方法。
【請求項６】
可変長の区分ファイルは、一定バイト長の区分ファイルＬ０と、該区分ファイルＬ０よりもバイト長の大きい一定バイト長の区分ファイルＬ１〜Ｌｎ−１と、該区分ファイルＬ１〜Ｌｎ−１よりもバイト長が小さい区分ファイルＬｎと、から構成されている請求項５記載の音楽ＣＤのコピー防止方法。
【請求項７】
８×ｎ個の暗号鍵は、各８×ｎビット列を持つ英数文字からなり、区分ファイル毎に、英数文字のうちいずれか１つのビット列を指定されたビット数だけ循環シフトしたものである請求項５記載の音楽ＣＤのコピー防止方法。
【請求項８】
オーディオセッション、データセッションを構成するデータからＥＦＭ信号を生成した後に該ＥＦＭ信号にコピー防止加工を施し、この加工後のＥＦＭ信号に従いスタンパーを作成することを特徴とする音楽ＣＤの生産方法。
【請求項９】
請求項１〜７のいずれか１項に記載のコピー防止方法に従ってＥＦＭ信号にコピー防止加工を施す請求項８記載の生産方法。
【請求項１０】
オーディオセッション、データセッションを構成するデータからＥＦＭ信号を生成するマルチセッション対応のフォーマッタと、該フォーマッタから出力されるＥＦＭ信号を受け取ってコピー防止加工を施すコピー防止加工手段と、該コピー防止加工手段から出力される加工後のＥＦＭ信号に従いスタンパーを作成するレーザー露光器と、を少なくとも備えたことを特徴とする音楽ＣＤの生産システム。
【請求項１１】
請求項４〜７のいずれか１項に記載のコピー防止方法に従って、オーディオデータの圧縮暗号化データとその再生ソフトを生成し、これをフォーマッタに提供するエンコーダを、さらに備える請求項１０記載の音楽ＣＤの生産システム。
【請求項１２】
コピー防止加工手段において、請求項１〜７のいずれか１項に記載のコピー防止方法に従ってＥＦＭ信号にコピー防止加工を施す請求項１０又は請求項１１記載の生産システム。
【請求項１３】
コピー防止加工手段は、ＥＦＭ信号を受信してサブコードを読み取るためのサブコードリードユニットと、該サブコードリードユニットを経た後のＥＦＭ信号を所定時間遅延させるディレイユニットと、該ディレイユニットを経た後のＥＦＭ信号を受信してサブコードを書き換えるためのサブコードライトユニットと、ＥＦＭ信号を受信した前記サブコードリードユニットからサブコードを読み取ってチャネルコードを抽出するリードプロセッサと、その抽出されたチャネルコード中の該当箇所を変更するコンピュータと、前記リードプロセッサが読み取ったサブコードに、前記コンピュータによる変更後のチャネルコードを組み込み、このサブコードを前記サブコードライトユニットへ送って該サブコードライトユニットに受信されているＥＦＭ信号のサブコードを書き換えるライトプロセッサと、からなる請求項１２記載の生産システム。
【請求項１４】
コピー防止加工手段のコンピュータは、入れ替え可能な記録媒体に従って、サブコード書き換え仕様が決定されるようになっている請求項１３記載の生産システム。
【発明の詳細な説明】
【０００１】
【発明の属する技術分野】
本発明は、音楽（オーディオ）を記録したＣＤ（Ｃｏｍｐａｃｔ　Ｄｉｓｃ）からの不正コピーを防止する方法に関する。
【０００２】
【従来の技術】
パーソナルコンピュータ（パソコン）の普及と関連技術の進歩で現在では、大容量のハードディスクにＣＤフォーマット方式又はＭＰ３などの圧縮方式で、高音質のまま音楽（声楽・器楽）を収録することが可能となっている。そしてまた、ＣＤ−ＲやＣＤ−ＲＷといった書き込み、書き換え可能なＣＤ及びその記録再生装置が普及するに至り、誰でも手軽に音楽ＣＤを作成可能にまでなってきている。
【０００３】
このような技術の進歩は確かに好ましいものではあるが、一方で、市販されている音楽ＣＤから直接又はＭＰ３ファイル変換してパソコンのハードディスクへ楽曲を取り込むことも、誰でも手軽にできるようになっている。そして、このように市販ＣＤから取り込んだファイルは、そのままインターネットで送信したり、該ファイルからＣＤ−ＲやＣＤ−ＲＷを作成したりすることが容易にできるため、著作権を侵害する。
【０００４】
【発明が解決しようとする課題】
現状での問題点は、市販ＣＤに録音された音楽をほとんど音質劣化させることなくデジタルデータとしてパソコン内へ取り込めてしまうということである。そこで、一般の音楽ＣＤプレーヤーやパソコンに組み込まれたプレーヤー（ＰＣプレーヤー）での再生は問題なくできる一方、パソコン（ハードディスク）には取り込めないというようなコピー防止機能を備えた、アンチパソコンタイプの音楽ＣＤの開発が待たれている。
【０００５】
このような音楽ＣＤのコピー防止方法として今までに、サブコード情報や曲間のギャップ（ポーズ）情報の中に新仕様のコピー防止情報を書き込む手法が提案されている。しかし、現在までに提案されているこの種の手法は、標準的ＣＤ生産ラインに組み込むことが容易ではない。すなわち、試作段階であれば、汎用パソコンを活用してコピー防止情報を生成し、これをオーディオデータに組み入れた後、ＣＤ−ＲやＣＤ−ＲＷに書き込むことで試作ＣＤを作成可能であるが、この手法を量産ラインへ適用するときには解決しなければならない問題がある。
【０００６】
図１に示すごとく、音楽ＣＤの生産工程は、マスタディスクやテープの音楽ソース１からフォーマッタ２へデータを取り入れる工程から始まる。専用プログラムに従うコンピュータからなるフォーマッタ２は標準化されたものであり、世界統一規格に則っている。このフォーマッタ２による処理で、音楽ソース１からのデータに基いて、標準規格化されたＥＦＭ（Ｅｉｇｈｔ−ｔｏ−Ｆｏｕｒｔｅｅｎ　Ｍｏｄｕｌａｔｉｏｎ）信号が生成される。これがレーザー露光器３へ入力されることで、プレス用金型であるスタンパー４が作成され、そして、スタンパー４を基にしたプレス工程５により、市販用の音楽ＣＤが量産されていく。
【０００７】
このようなＣＤ生産ラインにおけるフォーマッタ２は、詳細に定められた世界標準規格（ＩＥＣ９０８，ＩＳＯ／ＩＥＣ１０１４９など）に従った複雑な処理を行うものであり、これに手を加えることは大変困難である。しかし、上述のコピー防止情報はいずれも規格にはない新仕様であるため、これを組み入れる場合、どうしてもフォーマッタ２の仕様を変更する必要が出てくる。世界各地に散らばった多くのＣＤ工場でこれに対応するのはかなり難しく、現実的と言えるものではない。また、音楽ソース１からのデータにコピー防止情報を予め入れておけたとしても、フォーマッタ２を通ってＥＦＭ信号となる時点で不要な信号として消滅してしまい、機能しないと考えられる。
【０００８】
つまり、現状の手法は試作段階では成功しているものもあるが、生産ラインへの適用に難があり、実用化は難しい。本発明はこれを解決し、量産に適したコピー防止方法と、これを利用した音楽ＣＤの生産方法を提案するものである。
【０００９】
【課題を解決するための手段】
以上の課題を解決するために、本発明では、少なくとも２つの異なるセッションを形成するマルチセッションＣＤ方式を採用する。すなわち、本発明に係る音楽ＣＤのコピー防止方法は、オーディオデータで構成されるオーディオセッションと、データセッションと、を少なくとも設けたマルチセッション式とし、そのＥＦＭ信号において、データセッションのリードイン領域に、オーディオセッションのサブコードチャネルを変更した疑似情報を設けることを特徴とする。このようにすれば、後述する理由により、一般の音楽ＣＤプレーヤーはオーディオセッションのみを再生するようになり、パソコンはデータセッションのみを読み込むようになるので、オーディオデータのコピー防止が図られるようになる。なお、データセッションは、歌手のプロファイル・写真・映像、圧縮ファイル、オーディオデータ、プログラムなど、オーディオセッションのオーディオデータとは異なるデータで構成される。つまり、パソコンが認識できるデータであればどのようなデータであってもよい。
【００１０】
一般の音楽ＣＤプレーヤーの場合、マルチセッションＣＤに対応しておらずデータセッションのあることは想定されていない（ＩＥＣ９０８にしか対応していない）。したがって、オーディオセッションの他にデータセッションが記録されていても、これを認識することはないので、支障なくオーディオセッションのオーディオデータのみを再生することができる。
【００１１】
一方、パソコンの場合は、マルチセッションＣＤに対応しているので、これを認識すると、各セッションのリードイン領域にあるサブコードチャネル（Ｐ〜Ｗチャネル）を読み込み、スタートフラグ、セッションを構成するデータの種類、ＴＯＣなど各種設定を記憶領域に保持する。このときパソコンは、各セッションのリードイン領域にあるサブコードを繰り返し読み込んで、一度読み込んだ設定に再度読み込んだ設定を上書きする（リライト機能）。本発明ではこのリライト機能に着目し、後に読み込まれるデータセッションのリードイン領域に、先に読み込まれるオーディオセッションのサブコードの偽もののサブコードを設けて、パソコンを騙す。つまり、オーディオセッション部分に関し、偽のサブコードを設定させる。したがって、パソコンは、上書きした偽のサブコードに基づいてオーディオセッションを読み込もうとするので、オーディオデータを再生したりハードディスク内に取り込むことができないようになる。これにより、オーディオセッションについての音楽ＣＤのコピー防止が達成される。
【００１２】
偽のサブコード（疑似情報）の一つとして本発明では、Ｑチャネルのコントロール部にデジタルデータの識別情報を立てた方式とすることができる。このようにすれば、オーディオセッションのオーディオデータをデジタルデータと誤認させることができるので、コピー防止機能を持たせることができるようになる。また、疑似情報は、Ｑチャネルのスタートアドレスを所定値ずらした方式としてもよい。このようにすれば、オーディオセッションのトラック毎のスタート位置を誤認させることができるので、同様に、コピー防止機能を持たせることができるようになる。
【００１３】
前述した音楽ＣＤのコピー防止機能は、フォーマッタを通した後のＥＦＭ信号を加工するだけでよいので、フォーマッタの仕様を変更する必要は全くない。したがって、既存の生産ラインへ簡単に採用することができる。
【００１４】
パソコンが読み込むデータセッションは、オーディオデータを圧縮暗号化したデータ及びその再生ソフトで構成されるとよい。このようにすれば、パソコンはマルチセッションＣＤのデータセッションに記録されている圧縮暗号化データとその再生ソフトを読み出すことで、オーディオセッションに記録されている音楽と同様のものを再生することができるようになる。しかし、データセッションでは、オーディオデータが暗号化されており、これと共に存在する専用の再生ソフトでしか再生できないようになっているので、たとえ、圧縮暗号化データを抜き出してＣＤ−Ｒなどに焼いたりパソコン内のハードディスクに落とせたとしても、暗号を解読できなければＭＰ３ファイルなど他の再生ソフト用のファイル形式に変換することはできない。したがって、圧縮暗号化データを抜き出してこの部分をコピーできたとしても、結局は、これを再生できないので、データセッションについても音楽ＣＤのコピー防止が達成されるようになる。
【００１５】
データセッションの圧縮暗号化データは、圧縮したオーディオデータをバイト単位で分割し、これを可変長の区分ファイルに振り分けて、区分毎に用意されている８×ｎ個の暗号鍵で排他的論理和演算したものであるとよい。このようにデータセッションのデータは圧縮したオーディオデータを暗号化しているのでファイル交換の対象になりにくい。すなわち、たとえ、パソコンのハードディスクにデータセッションのデータを取り込めたとしても、暗号を解読できなければ、圧縮したオーディオデータを開くことができない。また、この圧縮暗号化データは、これを復号できる再生ソフトでしか再生することができないよう暗号化されているので、ＣＤに記録されている専用の再生ソフト以外によっては再生することができない。
【００１６】
可変長の区分ファイルは、一定バイト長の区分ファイルＬ０と、この区分ファイルＬ０よりもバイト長の大きい一定バイト長の区分ファイルＬ１〜Ｌｎ−１と、この区分ファイルＬ１〜Ｌｎ−１よりもバイト長が小さい区分ファイルＬｎと、から構成されているとよい。本発明では、区分毎に個別の暗号鍵を使用するので、ある区分ファイルのバイト長が大きければ、その区分ファイルに対し同一の暗号鍵を繰り返し使用することになる。したがって、それぞれの区分ファイルを可変長とすれば、暗号鍵の繰り返し回数が不規則となりこれを隠すことができるので、暗号の解読が困難なものになる。
【００１７】
また、８×ｎ個の暗号鍵は、各８×ｎビット列を持つ英数文字からなり、区分ファイル毎に、英数文字のうちいずれか１つのビット列を指定されたビット数だけ循環シフトしたものであるとよい。このように暗号鍵は循環シフトによって変化する単純構造であるので、暗号化や再生ソフトで復号する場合に高速処理を実現することが可能になる。なお、ｎ＝１，２，３・・・である。
【００１８】
以上のコピー防止方法を適用することにより、オーディオセッション、データセッションを構成するデータからＥＦＭ信号を生成した後に該ＥＦＭ信号にコピー防止加工を施し、この加工後のＥＦＭ信号に従いスタンパーを作成することを特徴とした音楽ＣＤの生産方法が本発明で実現される。そして、オーディオセッション、データセッションを構成するデータからＥＦＭ信号を生成するマルチセッション対応のフォーマッタと、このフォーマッタから出力されるＥＦＭ信号を受け取ってコピー防止加工を施すコピー防止加工手段と、このコピー防止加工手段から出力される加工後のＥＦＭ信号に従いスタンパーを作成するレーザー露光器と、を少なくとも備えた音楽ＣＤの生産システムが本発明により提案される。また、この音楽ＣＤの生産システムでは、データセッションを構成するデータとしてオーディオデータの圧縮暗号化データとその再生ソフトを生成し、これをフォーマッタに提供するエンコーダを、さらに備えるとよい。
【００１９】
これら生産方法及び生産システムにおいて、ＥＦＭ信号に施すコピー防止加工は、上記本発明のコピー防止方法に係る方式とすることができる。
【００２０】
この場合の生産システムにおけるコピー防止加工手段は、ＥＦＭ信号を受信してサブコードを読み取るためのサブコードリードユニットと、このサブコードリードユニットを経た後のＥＦＭ信号を所定時間遅延させるディレイユニットと、このディレイユニットを経た後のＥＦＭ信号を受信してサブコードを書き換えるためのサブコードライトユニットと、ＥＦＭ信号を受信したサブコードリードユニットからサブコードを読み取ってチャネルコードを抽出するリードプロセッサと、その抽出されたチャネルコード中の該当箇所を変更するコンピュータと、リードプロセッサが読み取ったサブコードに、コンピュータによる変更後のチャネルコードを組み込み、このサブコードをサブコードライトユニットへ送って該サブコードライトユニットに受信されているＥＦＭ信号のサブコードを書き換えるライトプロセッサと、からなるものとすることができる。
【００２１】
本発明のコピー防止加工手段に使用するコンピュータは、入れ替え可能なフレキシブルディスクなどの記録媒体に従って、サブコード書き換え仕様（上記のようなＱチャネルのコントロール部にデジタルデータの識別情報を立てた疑似情報、Ｑチャネルのスタートアドレスを所定値ずらした疑似情報など）が決定されるようになっているのがよい。これによれば音楽ソース毎にサブコード書き換え仕様をランダムに変更することができるので、それぞれに最も効果的な仕様を決定することができるうえ、見破りにくいものとなる。
【００２２】
【発明の実施の形態】
図２（Ａ）に、本発明のコピー防止方法が適用されたデータセッションのリードイン領域に設ける疑似情報として、オーディオセッションのサブコードＱチャネルを変更したフレームフォーマット６を示してある。
【００２３】
この方式では、Ｑチャネルのコントロール部（ＣＯＮＴＲＯＬ）を、デジタルデータであることを示す識別情報“Ｄ”（０１Ｘ０）とする。つまり、オーディオセッションはプログラムなどデジタルデータを入れたものである旨を表示してしまうものである。すると、当該音楽ＣＤをパソコンで再生しようとした場合、オーディオセッションのコンテンツがデジタルデータであると上書きされているので、パソコンはオーディオセッションを読み出せずデータセッションから読み出すことになる。すなわち、ＴＯＣ（Ｔａｂｌｅ　Ｏｆ　Ｃｏｎｔｅｎｔｓ）に従ってオーディオセッションをデジタルデータと誤認して読み出しにかかっても、実際はオーディオデータが入っているので、オーディオセッションに関しては読み出すことができないようになる。
【００２４】
なお、フレームフォーマット６において、Ｓ０、Ｓ１はフレーム同期信号、ＣＯＮＴＲＯＬはトラックのデータ種類（オーディオデータ、デジタルデータなどの区別）、ＡＤＲはフレームフォーマット６内のデータ部分７に関するモードの種類、ＣＲＣはＣＯＮＴＲＯＬ、ＡＤＲ、データ部分７の誤り検出コードを示している。また、ＴＮＯはトラック番号、ＭＩＮ、ＳＥＣ、ＦＲＡＭＥは１トラックの走行時間、ＺＥＲＯは０、ＰＯＩＮＴ、ＰＭＩＮ、ＰＳＥＣ、ＰＦＲＡＭＥはＴＯＣ（目次情報）を示している。
【００２５】
他の方式として、図２（Ｂ）にサブコードＱチャネル中、データ部分７’のＴＯＣを変更したフレームフォーマット６’を示してある。具体的には、図２（Ａ）のＰＭＩＮ，ＰＳＥＣ，ＰＦＲＡＭＥを、ＰＭＩＮ’，ＰＳＥＣ’，ＰＦＲＡＭＥ’として異なる値とする。ＰＭＩＮ，ＰＳＥＣ，ＰＦＲＡＭＥの値は、ＰＯＩＮＴによって示されたトラック番号のスタート位置となり、その値は、絶対時間スケール（ＡＭＩＮ，ＡＳＥＣ，ＡＦＲＡＭＥ）上において、±１秒の精度でトラックのスタート位置を示す。したがって、ＰＭＩＮ’，ＰＳＥＣ’，ＰＦＲＡＭＥ’の値は、ＰＭＩＮＳ１，ＰＳＥＣＳ１，ＰＦＲＡＭＥＳ１の値よりも±１秒以上ずれていればよい。このようにすれば、パソコンがオーディオセッションのオーディをデータを読み込もうとしても、上書きされた偽のＴＯＣを読み込むことになるので再生が不可能となる。
【００２６】
前述の方式の他、図２（Ａ）と（Ｂ）を組み合わせた方式で用いることも可能である。また、疑似情報として、Ｑチャネルのトラック番号を変更したり、Ｑチャネル以外のチャネルコードを変更するようにしてもよい。
【００２７】
図３は、データセッションに記録される圧縮暗号化データについて、音楽ソースを圧縮し暗号化するエンコーダを示してある。
【００２８】
音楽ソース８からオーディオデータを受けたエンコーダ９は、これを圧縮してファイル９ａを作成する。圧縮ファイル９ａは、１バイト（８ビット）単位で分割され、可変長の区分ファイル９ｂに振り分けられる。区分ファイル９ｂのうちＬ０はＳバイト（一定長）、Ｌ１〜Ｌｎ−１はＴバイト（一定長）、ＬｎはＵバイト（Ｔバイトより小）で、Ｌ１〜Ｌｎ−１＞Ｌ０、Ｌｎの関係を持つ。
【００２９】
鍵９ｃは８個の英数文字Ａ１〜Ａ８よりなっている。この英数文字Ａ１〜Ａ８は各８ビット列で構成されている。また、英数文字Ａ１〜Ａ８の各ビット列は９ｄに示すごとく循環シフト（回転シフト）され、区分ファイルＬ０〜Ｌｎ毎に異なる鍵として用いられる。本実施例による循環シフトでは右端の落ちた１ビットをつぎつぎと左端に桁移動しているが、これを左端から落として右端に桁移動するようにしてもよい。
【００３０】
９ｅに鍵Ｋ０〜Ｋｎの変化を示してある。９ｅに示すように鍵Ｋ０〜Ｋｎは英数文字Ａ１〜Ａ８のうち何れか１つのビット列を循環シフトした構造である。例えば、Ａ１が循環シフトされてＡ１’になると（鍵Ｋ１）、次は、Ａ２が循環シフトされてＡ２’になる（鍵Ｋ２）。この鍵Ｋ０〜Ｋｎは音楽ＣＤ毎に異なる組み合わせで採用され、これと同様の組み合わせと鍵の変化を知る専用の再生ソフト、つまり、共通鍵（秘密鍵）を持つ再生ソフトでなければ再生することができない。鍵Ｋ０〜Ｋｎの組み合わせとしては、Ｋ０〜Ｋ８を採用したり、Ｋ５〜Ｋｎを採用したりする。この組み合わせと鍵Ｋ０〜Ｋｎの変化により解読の複雑さが増すことでコピー防止が強化される。
【００３１】
暗号化は排他的論理和演算器９ｆで行われる。ここでは、区分ファイルＬ０〜Ｌｎと鍵Ｋ０〜Ｋｎが排他的論理和演算（ＥＸＯＲ）される。例えば、Ｌ０とＫ０、Ｌ１とＫ１、Ｌ２とＫ２……ＬｎとＫｎのように区分毎に鍵を変化させて暗号化する。この排他的論理和演算器９ｆの結果が圧縮暗号化データとなる。エンコーダ９は、圧縮暗号化データと、これを再生できる共通鍵を持った専用の再生ソフトとをデータ１０として出力する。
【００３２】
以上のコピー防止方法を利用した音楽ＣＤの生産ラインについて、図４に概要を示してある。
【００３３】
音楽ソース８からのオーディオデータ及びデータ１０を受けてＥＦＭ信号を生成するフォーマッタ１１は従来どおりの仕様そのままである。本例の生産ラインでは、このフォーマッタ１１から出力されるＥＦＭ信号を、コピー防止加工手段１２に受信し、ここで上記図２のコピー防止加工が施されるようにしてある。コピー防止加工手段１２から出力される加工後のＥＦＭ信号は、レーザー露光器１３へ入力され、スタンパー１４が形成される。このスタンパー１４を金型としたプレス工程１５により、音楽ＣＤが量産される。
【００３４】
コピー防止加工手段１２は、ＥＦＭ信号からオーディオセッション及びデータセッションのサブコードを読み出してチャネルコードのうち、例えば、Ｑチャネルコードを抽出し、また、ＥＦＭ信号のサブコード書き換えを実行するプロセッサ２０と、抽出されたＱチャネルコードを取り込んで必要箇所を変更するコンピュータ３０と、から構成されている。
【００３５】
プロセッサ２０は、図５に示すように、ＥＦＭ信号を受信してサブコードを読み取るためのサブコードリードユニット２１と、このサブコードリードユニット２１を経た後のＥＦＭ信号を所定時間（＝少なくともＱチャネルコードの変更にかかる時間）遅延させるディレイユニット２２と、このディレイユニット２２を経た後のＥＦＭ信号を受信してサブコードを書き換えるためのサブコードライトユニット２３と、ＥＦＭ信号を受信したサブコードリードユニット２１からサブコードを読み取ってＱチャネルコードを抽出するリードプロセッサ２４と、このリードプロセッサ２４が読み取ったサブコードに、コンピュータ３０による変更後のＱチャネルコードを組み込み、このサブコードをサブコードライトユニット２３へ送って該サブコードライトユニット２３に受信されているＥＦＭ信号のサブコードを書き換えるライトプロセッサ２５と、を備える。
【００３６】
リードプロセッサ２４とライトプロセッサ２５とは共通のメモリ２６を有しており、リードプロセッサ２４に読み取られたサブコードがメモリ２６に入れられ、そして、ライトプロセッサ２５により上書きされる。この上書きされたサブコードがライトプロセッサ２５により、サブコードライトユニット２３へ送り込まれる。
【００３７】
サブコードリードユニット２１とサブコードライトユニット２３とは同構成で、サブコード読み取りのタイミングをはかるシフトレジスタから構成される。すなわち、ＥＦＭ同期を検知してＥＦＭ信号を取り込み始め、サブコード同期パターンＳ０，Ｓ１が検出されると、その後に少なくともサブコードのビット数分シフトしたところでリードプロセッサ２４の読み出し、あるいは、ライトプロセッサ２５の書き込みが行われる仕組みである。
【００３８】
リードプロセッサ２４によりメモリ２６へ読み取られたサブコードは、各チャネルにわけられており、そのうちＱチャネルコードをコンピュータ３０が取り込んで該当箇所を変更する。変更を施す該当箇所は、サブコード書き換え仕様に従って決められ、この仕様はフレキシブルディスク３１により決定される。このサブコード書き換え仕様には、データセッションに設けるオーディオセッションのＱチャネルをどのように変更するかが記載されている。
【００３９】
このようにしてコンピュータ３０により設定されたＱチャネルは、ライトプロセッサ２５によりメモリ２６に現在記憶されているデータセッションに上書きされる。そして、このＱチャネルを更新したサブコードがサブコードライトユニット２３へ送り込まれ、上記の処理時間分ディレイユニット２２で遅延されてシフトレジスタに入ってくるＥＦＭ信号のサブコード相当位置に書き込まれ、書き換えが実行される。
【００４０】
【発明の効果】
本発明によれば、既存のフォーマッタになんら手を加えることなく生産ラインへ適用可能な音楽ＣＤのコピー防止方法が提供され、これにより、実用的なコピー防止加工工程をもった音楽ＣＤの生産方法及びシステムが提供される。すなわち、フォーマッタは、従来どおりの規格に則って各セッションからなるＥＦＭ信号を生成し、このフォーマッタから出力されるＥＦＭ信号を加工するようにしたので、既存の設備に本発明のコピー防止加工手段を追加しさえすればよい。したがって、さしてコストをかけずとも生産ラインを切り換えられる。
【００４１】
また特に本発明のコピー防止方法は、急速に高性能化しつつあるパソコンに対してコピー耐性をもつ、アンチパソコン仕様である。本発明のコピー防止方法を適用した音楽ＣＤによると、パソコンはデータセッションしか読むことができない仕様になっている。また、このデータセッションに記録されるオーディオデータは圧縮暗号化されているので、これを解読できなければ他形式ファイルに変換することができず、しかも、専用の再生ソフトでしか再生することができないので、今までになく確実なコピー防止機能が提供される。
【００４２】
さらにまた本発明では、オーディオデータを変更することなくサブコードチャネル部分のみを変更の対象としているので、オーディオデータの音質を変えることのないコピー防止方法を提供することができる。
【図面の簡単な説明】
【図１】従来の音楽ＣＤ生産ラインの説明図。
【図２】本発明のコピー防止方法が適用されたオーディオセッションのサブコードＱチャネルを変更したフレームフォーマット。
【図３】本発明に係るコピー防止方法を施すエンコーダの説明図。
【図４】本発明に係る音楽ＣＤ生産ラインの説明図。
【図５】コピー防止加工手段の具体例を示したブロック図。
【符号の説明】
６，６’　フレームフォーマット
７，７’　フレームフォーマット内のデータ部分
８　音楽ソース
９　エンコーダ
１０　データ（圧縮暗号化データとその再生ソフト）
１１　フォーマッタ
１２　コピー防止加工手段
１３　レーザー露光器
１４　スタンパー
１５　ＣＤプレス
【図１】
2004022098.tif 000003
【図２】
2004022098.tif 000004
【図３】
2004022098.tif 000005
【図４】
2004022098.tif 000006
【図５】
2004022098.tif 000007